(57)【要約】【課題】情報処理装置に追加したアプリの利用をユーザーに促すことが可能な情報処理装置、情報処理方法、及びプログラムを提供すること。【解決手段】情報処理装置１は、所定のプログラムを実行するアプリ（「アプリＳ」）のアプリアイコン１０３を表示部の所定の位置に配置する表示処理部１７２と、前記アプリアイコン１０３が配置される位置に基づいて報酬情報を通知する通知処理部１７５と、を備える。【選択図】図６
2019128633.tif 000002
【特許請求の範囲】
【請求項１】
所定のプログラムを実行するアプリケーションの起動アイコンを表示部の所定の位置に配置する表示処理部と、
前記起動アイコンが配置される位置に基づいて報酬情報を通知する通知処理部と、
を備える情報処理装置。
【請求項２】
ユーザーにより前記起動アイコンに対して前記報酬情報に従った操作が実行された場合に、前記ユーザーに報酬を付与する報酬付与処理部をさらに備える、
請求項１に記載の情報処理装置。
【請求項３】
前記表示部は、第１表示画面及び第２表示画面を含み、
前記表示処理部が前記起動アイコンを前記第２表示画面に配置した場合に、前記通知処理部は、前記報酬情報を前記第２表示画面に表示する、
請求項１に記載の情報処理装置。
【請求項４】
前記通知処理部は、前記報酬情報として、前記起動アイコンを前記第１表示画面に移動するように促すメッセージを前記第２表示画面に表示する、
請求項３に記載の情報処理装置。
【請求項５】
ユーザーによる操作に応じて、前記報酬情報に従って前記起動アイコンが前記第１表示画面に移動された場合に、前記ユーザーに報酬を付与する報酬付与処理部をさらに備える、
請求項４に記載の情報処理装置。
【請求項６】
前記通知処理部は、前記起動アイコンが配置される位置に応じた内容の前記報酬情報を通知する、
請求項１から請求項５の何れか１項に記載の情報処理装置。
【請求項７】
複数の表示画面を含む前記表示部と、
前記アプリケーションを受信する受信処理部と、
をさらに備え、
前記表示処理部は、前記複数の表示画面のうち何れかの表示画面に前記起動アイコンを配置し、
前記通知処理部は、前記起動アイコンが配置される前記表示画面に前記報酬情報を表示する、
請求項１から請求項６の何れか１項に記載の情報処理装置。
【請求項８】
所定のプログラムを実行するアプリケーションの起動アイコンを表示部の所定の位置に配置することと、
前記起動アイコンが配置される位置に基づいて報酬情報を通知することと、
を含む情報処理方法。
【請求項９】
所定のプログラムを実行するアプリケーションの起動アイコンを表示部の所定の位置に配置するステップと、
前記起動アイコンが配置される位置に基づいて報酬情報を通知するステップと、
をコンピュータに実行させるためのプログラム。
【発明の詳細な説明】
【技術分野】
【０００１】
本発明は、情報処理装置、情報処理方法、及びプログラムに関する。
【背景技術】
【０００２】
従来、複合機、パーソナルコンピューター、スマートフォンなどの情報処理装置において、所定のプログラムを実行するアプリケーション（以下、「アプリ」と称す。）をインストール（追加）して、当該情報処理装置の機能を拡張することが行われている（例えば、特許文献１参照）。
【先行技術文献】
【特許文献】
【０００３】
【特許文献１】特開２０１０−２１８３９７号公報
【発明の概要】
【発明が解決しようとする課題】
【０００４】
ここで、情報処理装置にインストールしたアプリは、例えば、複数ページの表示画面のうち最終ページの表示画面に配置される。この場合、ユーザーは、追加したアプリの存在を認識できなかったり、忘れてしまったりすることがある。そうすると、前記アプリをユーザーに利用させることが難しくなる。
【０００５】
本発明の目的は、情報処理装置に追加したアプリの利用をユーザーに促すことが可能な情報処理装置、情報処理方法、及びプログラムを提供することにある。
【課題を解決するための手段】
【０００６】
本発明に係る情報処理装置は、表示処理部と通知処理部とを備える。前記表示処理部は、所定のプログラムを実行するアプリケーションの起動アイコンを表示部の所定の位置に配置する。前記通知処理部は、前記起動アイコンが配置される位置に基づいて報酬情報を通知する。
【０００７】
本発明に係る情報処理方法は、所定のプログラムを実行するアプリケーションの起動アイコンを表示部の所定の位置に配置することと、前記起動アイコンが配置される位置に基づいて報酬情報を通知することと、を含む。
【０００８】
本発明に係るプログラムは、所定のプログラムを実行するアプリケーションの起動アイコンを表示部の所定の位置に配置するステップと、前記起動アイコンが配置される位置に基づいて報酬情報を通知するステップと、をコンピュータに実行させるためのプログラムである。
【発明の効果】
【０００９】
本発明によれば、情報処理装置に追加したアプリの利用をユーザーに促すことが可能な情報処理装置、情報処理方法、及びプログラムが提供される。
【図面の簡単な説明】
【００１０】
【図１】図１は、本発明の実施形態に係る情報処理システムの構成を示すブロック図である。
【図２】図２は、本発明の実施形態に係る配信サーバーの記憶部に記憶されるアプリの一覧を示す管理テーブルである。
【図３】図３は、本発明の実施形態に係る画像形成装置の表示画面の一例を示す図である。
【図４】図４は、本発明の実施形態に係る画像形成装置の表示画面の一例を示す図である。
【図５】図５は、本発明の実施形態に係る画像形成装置の表示画面の一例を示す図である。
【図６】図６は、本発明の実施形態に係る画像形成装置の表示画面の一例を示す図である。
【図７】図７は、本発明の実施形態に係る画像形成装置の表示画面の一例を示す図である。
【図８】図８は、本発明の実施形態に係る画像形成装置の表示画面の一例を示す図である。
【図９】図９は、本発明の実施形態に係る画像形成装置で実行される報酬情報通知処理の手順の一例を示すフローチャートである。
【図１０】図１０は、本発明の実施形態に係る画像形成装置で実行される報酬情報通知処理（アイコン位置変更処理）の手順の一例を示すフローチャートである。
【図１１】図１１は、本発明の実施形態に係る画像形成装置の表示画面の一例を示す図である。
【図１２】図１２は、本発明の実施形態に係る画像形成装置の表示画面の一例を示す図である。
【図１３】図１３は、本発明の実施形態に係る画像形成装置の設定画面の一例を示す図である。
【発明を実施するための形態】
【００１１】
以下添付図面を参照しながら、本発明の実施形態について説明し、本発明の理解に供する。なお、以下の実施形態は、本発明を具体化した一例であって、本発明の技術的範囲を限定するものではない。
【００１２】
本発明に係る情報処理装置は、例えば、画像形成装置、携帯電話機、スマートフォン、タブレット端末、ＰＣ（パーソナルコンピュータ）などである。以下では、本発明に係る情報処理装置が、画像形成装置である場合を例に挙げて説明する。
【００１３】
図１に示すように、本発明の実施形態に係る情報処理システム１００は、画像形成装置１と、配信サーバー２とを含む。画像形成装置１は、複数存在してもよい。画像形成装置１及び配信サーバー２は、インターネット、ＬＡＮ、ＷＡＮ、又は公衆電話回線などの通信網Ｎ１を介して通信可能である。
【００１４】
［配信サーバーの構成］
図１に示すように、本発明の実施形態に係る配信サーバー２は、通信Ｉ／Ｆ２１、記憶部２２、制御部２３などを備える。
【００１５】
通信Ｉ／Ｆ２１は、配信サーバー２を有線又は無線で通信網Ｎ１に接続し、通信網Ｎ１を介して画像形成装置１などの外部機器との間で所定の通信プロトコルに従ったデータ通信を実行するための通信インターフェースである。
【００１６】
記憶部２２は、ハードディスク又はＥＥＰＲＯＭ（登録商標）などの不揮発性の記憶部である。記憶部２２には、制御部２３によって実行される各種の制御プログラム、及び各種のデータなどが記憶される。
【００１７】
また、記憶部２２には、画像形成装置１などに配信する複数のアプリが記憶される。図２には、記憶部２２に記憶されるアプリの一覧を示す管理テーブルである。前記管理テーブルには、アプリの名称（アプリ名）と、アプリの内容と、アプリの料金体系とが関連付けられている。また、各アプリには、アプリケーションプログラムが関連付けられている。前記管理テーブルの情報は、画像形成装置１のユーザーからの要求に応じて、アプリ一覧データ（例えば、Ｗｅｂページ）として、画像形成装置１に送信される。前記管理テーブルに登録されるアプリは、配信サーバー２の管理者によって設定、変更が可能となっている。
【００１８】
制御部２３は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶された不揮発性の記憶部である。前記ＲＡＭは、前記ＣＰＵが実行する各種の処理の一時記憶メモリー（作業領域）として使用される揮発性又は不揮発性の記憶部である。制御部２３は、前記ＲＯＭ又は記憶部２２に予め記憶された各種の制御プログラムを前記ＣＰＵで実行することにより配信サーバー２を制御する。
【００１９】
具体的に、制御部２３は、アプリ配信部２３１などの処理部を含む。なお、制御部２３は、前記制御プログラムに従って各種の処理を実行することにより各処理部として機能する。また、制御部２３は、各処理部の一部又は複数の処理機能を実現する電子回路を備えるものであってもよい。
【００２０】
アプリ配信部２３１は、画像形成装置１のユーザーからの要求（アプリ配信要求）に応じて、アプリを配信する。例えば、ユーザーが、画像形成装置１に表示された前記アプリ一覧データに応じたアプリ一覧画面（図２参照）において、所望のアプリ（例えば、「アプリＳ」）を選択した場合、アプリ配信部２３１は、前記「アプリＳ」のアプリケーションプログラムを画像形成装置１に送信する。
【００２１】
［画像形成装置の構成］
図１に示すように、本発明の実施形態に係る画像形成装置１は、操作表示部１０、ＡＤＦ（Auto Document Feeder）１１、画像読取部１２、画像形成部１３、通信Ｉ／Ｆ１４、記憶部１５、タイマー１６、及び制御部１７などを備える。具体的に、画像形成装置１は、プリンター機能、スキャナー機能、コピー機能、及びファクシミリ機能などを有する複合機である。なお、本発明は、複合機に限らずコピー機等にも適用可能である。
【００２２】
操作表示部１０は、情報を表示する液晶ディスプレイなどの表示部と、ユーザーによる情報入力操作を受け付けるタッチパネル及び操作ボタンなどの操作部とを備える。前記操作部は、操作アイコンとして、前記表示部に表示されてもよい。また前記表示部は、１又は複数ページの表示画面を含む。
【００２３】
図３には、操作表示部１０（表示部）の一例を示している。図３に示すように、操作表示部１０において、アイコン表示欄１０１には、画像形成装置１に予め登録される機能（「コピー」、「送信」、「ＢＯＸ」、「アプリストア」）を実行（起動）するための起動アイコンと、配信サーバー２から取得するアプリ（「アプリＡ」、「アプリＢ」）を起動するための起動アイコン（アプリアイコン１０３）と、表示画面のページ番号（「１／３」）と、当該表示画面を次ページ（「２／３」）の表示画面に遷移させるためのアイコン（画面遷移アイコン１０２ａ）とが表示される。前記ページ番号は、例えば、「表示部に現在表示されている表示画面のページ番号」／「全ページ数」で表される。このため、図３の表示画面は、全３ページのうち先頭ページの表示画面（ホーム画面又は初期画面）であることを表している。また、操作表示部１０には、画像形成装置１における各種の設定操作を行うための設定画面を表示させるためのアイコン（設定アイコン１０５）と、表示画面を先頭ページ（「１／３」）（ホーム画面）に遷移させるためのアイコン（ホームアイコン１０６）とが表示される。なお、１又は複数の前記アプリが、画像形成装置１に予め登録されてもよい。
【００２４】
図３に示す表示画面においてユーザーが画面遷移アイコン１０２ａを選択すると、図４に示す「２／３」ページの表示画面が表示部に表示される。図４に示す表示画面には、６個のアプリのアプリアイコン１０３が配置されている。図４に示す表示画面において、ユーザーが画面遷移アイコン１０２ｂを選択すると、図３に示す「１／３」ページの表示画面（ホーム画面）に戻り、ユーザーが画面遷移アイコン１０２ｃを選択すると、図５に示す「３／３」ページの表示画面が表示部に表示される。図５に示す表示画面には、４個のアプリのアプリアイコン１０３が配置されている。図５に示す表示画面において、ユーザーが画面遷移アイコン１０２ｄを選択すると、図４に示す「２／３」ページの表示画面に戻り、ユーザーがホームアイコン１０６を選択すると、前記ホーム画面（図３参照）に戻る。
【００２５】
なお、各表示画面のアイコン表示欄１０１に配置されるアイコンの数は限定されず、アイコン表示欄１０１の大きさ、及び、アイコンの大きさに応じて変更される。またアイコンの大きさは、ユーザーによる操作に応じて変更することが可能となっている。また、表示部（各表示画面）の内容は、画像形成装置１を利用するユーザーごとに異なっていてもよい。操作表示部１０は、ユーザーのログイン情報に応じた表示画面を表示部に表示する。
【００２６】
図１に戻り、ＡＤＦ１１は、原稿セット部、搬送ローラー、原稿押さえ、及び排紙部を備える。ＡＤＦ１１は、画像読取部１２の読み取り対象となる原稿を搬送する自動原稿搬送装置である。
【００２７】
画像読取部１２は、原稿台、光源、ミラー、光学レンズ、及びＣＣＤ（Charge Coupled Device）を備え、原稿の画像データを読み取ることが可能である。
【００２８】
画像形成部１３は、電子写真方式又はインクジェット方式で画像データに基づく印刷処理を実行することが可能であり、前記画像データに基づいてシートに画像を形成する。例えば、画像形成部１３が電子写真方式の画像形成部である場合、画像形成部１３は、感光体ドラム、帯電器、露光装置、現像装置、転写装置、及び定着装置などを備える。
【００２９】
通信Ｉ／Ｆ１４は、画像形成装置１を有線又は無線で通信網Ｎ１に接続し、通信網Ｎ１を介して配信サーバー２などの外部機器との間で所定の通信プロトコルに従ったデータ通信を実行するための通信インターフェースである。
【００３０】
記憶部１５は、ハードディスク又はＥＥＰＲＯＭ（登録商標）などの不揮発性の記憶部である。記憶部１５には、制御部１７に後述の報酬情報通知処理（図９参照）を実行させるための報酬情報通知プログラムなどの各種の制御プログラム、及び各種のデータなどが記憶される。
【００３１】
タイマー１６は、ユーザーによる操作に応じて各種の時間を計測する。例えば、タイマー１６は、画像形成装置１におけるユーザーのログイン状態の時間（ログインしてからの経過時間）を計測する。
【００３２】
制御部１７は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。制御部１７は、前記ＲＯＭ又は記憶部１５に予め記憶された各種の制御プログラムを前記ＣＰＵで実行することにより画像形成装置１を制御する。
【００３３】
具体的に、制御部１７は、アプリ受信処理部１７１、表示処理部１７２、アイコン位置取得部１７３、アイコン位置判定部１７４、通知処理部１７５、アイコン位置変更処理部１７６、報酬付与処理部１７７などを含む。なお、制御部１７は、前記制御プログラムに従って各種の処理を実行することによりこれらの各処理部として機能する。また、制御部１７は、これらの各処理部の一部又は複数の処理機能を実現する電子回路を備えるものであってもよい。
【００３４】
アプリ受信処理部１７１は、配信サーバー２から配信されるアプリを受信する。ユーザーが、アプリ一覧画面（図２参照）において所望のアプリ（例えば、「アプリＳ」）を選択した場合、配信サーバー２のアプリ配信部２３１は、「アプリＳ」のアプリケーションプログラムを画像形成装置１に送信する。アプリ受信処理部１７１が前記アプリケーションプログラムを実行することにより、「アプリＳ」が画像形成装置１にインストール（追加）される。
【００３５】
なお、前記アプリは、当該アプリのアプリケーションプログラムが記憶された、ＵＳＢ、ＳＤカード、ＣＤ（登録商標）又はＤＶＤ（登録商標）などのコンピュータ読取可能な記録媒体を介して画像形成装置１にインストールされてもよい。
【００３６】
表示処理部１７２は、操作表示部１０の表示部の表示内容を制御する。
【００３７】
例えば、ユーザーが、図３に示す表示画面（ホーム画面）において、「アプリストア」のアイコンを選択すると、表示処理部１７２は、配信サーバー２から受信するアプリ一覧画面（図２参照）を表示部に表示する。これにより、ユーザーは、前記アプリ一覧画面において所望のアプリを選択することが可能となる。
【００３８】
また、表示処理部１７２は、アプリ受信処理部１７１によりアプリが追加されると、追加したアプリのアプリアイコン１０３を表示部の所定の位置に配置する。例えば、表示処理部１７２は、追加したアプリのアプリアイコン１０３を受信日時（インストール日時）の順に表示部に配置する。また例えば、表示処理部１７２は、複数ページの表示画面のうち何れかの表示画面にアプリアイコン１０３を配置するためのスペースが存在する場合に、当該スペースに、前記追加したアプリのアプリアイコン１０３を配置してもよい。表示部に配置されたアプリアイコン１０３の位置は、ユーザーによる操作に応じて変更することが可能となっている。
【００３９】
アイコン位置取得部１７３は、表示部における、前記追加したアプリのアプリアイコン１０３が配置される位置の情報（位置情報）を取得する。具体的には、アイコン位置取得部１７３は、表示部が複数の表示画面を含む場合に、アプリアイコン１０３が配置された表示画面のページ番号の情報と、当該表示画面のアイコン表示欄１０１における位置（座標位置）の情報とを含む位置情報を取得する。例えば、追加したアプリ（「アプリＳ」）が、最終ページの表示画面（図５参照）に配置された場合、アイコン位置取得部１７３は、「３／３」ページの情報と、「３／３」ページの表示画面のアイコン表示欄１０１における位置（「左下」）の情報とを含む位置情報を取得する。
【００４０】
アイコン位置判定部１７４は、アイコン位置取得部１７３により取得される前記位置情報に基づいて、前記追加したアプリのアプリアイコン１０３が所定の表示画面（例えば、前記ホーム画面（図３参照））に配置されているか否かを判定する。前記所定の表示画面は、先頭ページの表示画面（ホーム画面）に限定されず、ユーザーの所望のページの表示画面であってもよい。例えば、前記所定の表示画面を、ユーザーがよく利用するページの表示画面とすることができる。ユーザーが前記所定の表示画面を設定可能な構成としてもよい。この構成では、例えば、ユーザーがホームアイコン１０６を選択すると、ユーザーが設定した所定の表示画面が表示される。
【００４１】
通知処理部１７５は、前記追加したアプリのアプリアイコン１０３が配置される位置に基づいて報酬情報を通知する。具体的には、通知処理部１７５は、前記追加したアプリのアプリアイコン１０３が前記所定の表示画面（例えば、前記ホーム画面）に配置されていない場合に、前記アプリアイコン１０３が配置される表示画面に前記報酬情報を表示する。前記報酬情報は、例えば、前記アプリアイコン１０３を前記ホーム画面に移動するように促すメッセージであり、画像形成装置１のユーザー又は管理者にとって特典となる情報を含む。例えば図６に示すように、前記追加した「アプリＳ」のアプリアイコン１０３が配置される「３／３」ページの表示画面に、前記報酬情報として、「ホーム画面に移動した場合、ポイントを取得できます。アイコンを移動しますか？」を表示する。なお、前記ポイントは、画像形成装置１において利用可能なポイントであり、例えば、アプリの購入料金、画像形成装置１における印刷料金、画像形成装置１の修理料金（メンテナンス料金）などの支払いに利用することができる。
【００４２】
なお、通知処理部１７５は、前記追加した「アプリＳ」のアプリアイコン１０３が配置される「３／３」ページの表示画面に、「報酬情報あり」を表示（ポップアップ表示）し、ユーザーにより前記「報酬情報あり」が選択（タッチ）された場合に、前記報酬情報（「ホーム画面に移動した場合、ポイントを取得できます。アイコンを移動しますか？」）を当該表示画面に表示してもよい。
【００４３】
アイコン位置変更処理部１７６は、ユーザーによる操作に応じてアイコン（例えば、アプリアイコン１０３）の位置を変更する処理（「アイコン位置変更処理」）を実行する。アイコン位置変更処理の具体例は後述する。
【００４４】
報酬付与処理部１７７は、前記報酬情報に従ってユーザーが前記アプリアイコン１０３を所定の位置に移動した場合に、前記ユーザーに報酬を付与する。例えば、図６に示す報酬情報に従ってユーザーが「アプリＳ」のアプリアイコン１０３を前記ホーム画面に移動させた場合（図８参照）に、報酬付与処理部１７７は、前記ユーザーに前記ポイントを付与する。なお、報酬付与処理部１７７は、前記ユーザーのログイン情報に基づいて、当該ユーザーのユーザー情報（ＩＤ）に前記ポイントを関連付ける。これにより、前記ユーザーは、画像形成装置１において前記ポイントを利用することが可能となる。報酬付与処理部１７７は、前記報酬を、画像形成装置１を利用するユーザーが所持する端末（ユーザー端末）にメールなどにより送信してもよい。なお、前記報酬は、前記ポイントの付与に限定されず、他の特典であってもよい。例えば、前記報酬として、画像形成装置１のトナーの無料交換、アプリの無料配信などであってもよい。
【００４５】
［報酬情報通知処理］
以下、図９及び図１０を参照しつつ、画像形成装置１において実行される報酬情報通知処理について説明する。例えば、前記報酬情報通知処理は、ユーザーが画像形成装置１に新たに追加することを希望するアプリを選択することによって開始される。なお、前記報酬情報通知処理は、ユーザーが画像形成装置１における所定の操作に応じて途中で終了されることがある。
【００４６】
なお、ここで説明する前記報酬情報通知処理に含まれる一又は複数のステップが適宜省略されてもよい。また、前記報酬情報通知処理における各ステップは、同様の作用効果を生じる範囲で実行順序が異なってもよい。さらに、ここでは画像形成装置１の制御部１７によって前記報酬情報通知処理における各ステップが実行される場合を例に挙げて説明するが、他の実施形態では、他の複数のプロセッサーによって前記報酬情報通知処理における各ステップが分散して実行されてもよい。
【００４７】
ここでは、上述した例と同様に、画像形成装置１のユーザーが、「アプリＳ」を画像形成装置１に追加（インストール）することを希望するものとする。
【００４８】
＜ステップＳ１０１＞
ステップＳ１０１において、画像形成装置１は、ユーザーによる操作に基づいて、所望のアプリの配信要求を配信サーバー２に送信する。例えば、ユーザーは、図３に示す表示画面（ホーム画面）において、「アプリストア」のアイコンを選択する。表示処理部１７２は、配信サーバー２から受信するアプリ一覧画面（図２参照）を表示部に表示する。ユーザーは、前記アプリ一覧画面において、「アプリＳ」を選択する。これにより、画像形成装置１は、「アプリＳ」の配信要求を配信サーバー２に送信する。
【００４９】
＜ステップＳ１０２＞
ステップＳ１０２において、アプリ受信処理部１７１は、配信サーバー２から配信されるアプリを受信する。具体的には、ユーザーが前記アプリ一覧画面において「アプリＳ」を選択すると、前記配信要求が配信サーバー２に送信され、配信サーバー２が前記配信要求を受信する。配信サーバー２のアプリ配信部２３１は、前記配信要求に基づいて、「アプリＳ」のアプリケーションプログラムを画像形成装置１に送信する。アプリ受信処理部１７１が前記アプリケーションプログラムを実行することにより、「アプリＳ」が画像形成装置１にインストール（追加）される。
【００５０】
＜ステップＳ１０３＞
ステップＳ１０３において、表示処理部１７２は、前記追加したアプリのアプリアイコン１０３を表示部の所定の位置に配置する。例えば、表示処理部１７２は、「アプリＳ」のアプリアイコン１０３を、複数ページ（ここでは、１〜３ページ）の表示画面のうち最終ページ（「３／３」ページ）の末尾に配置する（図５参照）。
【００５１】
＜ステップＳ１０４＞
ステップＳ１０４において、アイコン位置取得部１７３は、表示部における、前記追加したアプリのアプリアイコン１０３が配置される位置の情報（位置情報）を取得する。例えば、アイコン位置取得部１７３は、「アプリＳ」のアプリアイコン１０３が配置された「３／３」ページの情報と、「３／３」ページの表示画面のアイコン表示欄１０１における位置（「左下」）の情報とを含む位置情報を取得する（図５参照）。
【００５２】
＜ステップＳ１０５＞
ステップＳ１０５において、アイコン位置判定部１７４は、アイコン位置取得部１７３により取得される前記位置情報に基づいて、前記追加したアプリのアプリアイコン１０３が前記ホーム画面（「１／３」ページ）（図３参照）に配置されているか否かを判定する。前記追加したアプリのアプリアイコン１０３が前記ホーム画面に配置されていない場合は（Ｓ１０５：ＮＯ）、Ｓ１０６に移行する。前記追加したアプリのアプリアイコン１０３が前記ホーム画面に配置されている場合は（Ｓ１０５：ＹＥＳ）、前記報酬情報通知処理を終了する。ここでは、「アプリＳ」のアプリアイコン１０３が前記ホーム画面に配置されていないため、Ｓ１０６に移行する。
【００５３】
＜ステップＳ１０６＞
ステップＳ１０６において、通知処理部１７５は、前記追加したアプリのアプリアイコン１０３が配置される位置に基づいて報酬情報を通知する。例えば、通知処理部１７５は、「アプリＳ」のアプリアイコン１０３が配置された「３／３」ページの表示画面に、前記アプリアイコン１０３を前記ホーム画面に移動するように促すメッセージ（「ホーム画面に移動した場合、ポイントを取得できます。アイコンを移動しますか？」）を表示する（図６参照）。なお、前記追加したアプリのアプリアイコン１０３が前記ホーム画面に配置されている場合は（Ｓ１０５：ＹＥＳ）、前記報酬情報は通知されない。
【００５４】
＜ステップＳ１０７＞
ステップＳ１０７において、ユーザーから、前記追加したアプリのアプリアイコン１０３の位置変更を受け付けた場合（例えば、図６の表示画面において「はい」を選択された場合）は（Ｓ１０７：ＹＥＳ）、Ｓ１０８の「アイコン位置変更処理」に移行する。また、ユーザーから、前記追加したアプリのアプリアイコン１０３の位置変更を受け付けない場合（例えば、図６の表示画面において「いいえ」を選択された場合）は（Ｓ１０７：ＮＯ）、Ｓ１１０に移行する。Ｓ１１０では、通知処理部１７５が「３／３」ページの表示画面から前記報酬情報を削除し、その後、前記報酬情報通知処理を終了する。
【００５５】
［アイコン位置変更処理］
ここで、図１０を参照しつつ、前記「アイコン位置変更処理」について説明する。
【００５６】
Ｓ２０１において、アイコン位置変更処理部１７６は、ユーザーによるアプリアイコン１０３のタッチ操作を検出する。例えば、ユーザーが表示画面上の「アプリＳ」のアプリアイコン１０３を指でタッチした場合に（図７参照）、アイコン位置変更処理部１７６は、前記タッチ操作を検出する。
【００５７】
前記タッチ操作が所定時間継続された場合は（Ｓ２０２：ＹＥＳ）、アイコン位置変更処理部１７６は、前記タッチされたアプリアイコン１０３を移動可能な状態にする（Ｓ２０３）（図７参照）。
【００５８】
ユーザーは、「アプリＳ」のアプリアイコン１０３をタッチした状態で、表示画面上をスライドさせながら表示画面を所望のページ（例えば、「ホーム画面」）に遷移させる。ユーザーがホーム画面上において前記アプリアイコン１０３から指を離した場合（非タッチ）（ドラッグアンドドロップ操作）、アイコン位置変更処理部１７６は、指を離した位置（非タッチ位置）を検出する（Ｓ２０４）。
【００５９】
そして、Ｓ２０５において、アイコン位置変更処理部１７６は、前記非タッチ位置に前記アプリアイコン１０３を配置する。以上のようにして、アイコン位置変更処理部１７６は、アプリアイコン１０３の位置を変更する。アイコン位置変更処理は、上述の処理に限定されない。
【００６０】
＜Ｓ１０９＞
前記報酬情報に従ってユーザーが前記アプリアイコン１０３を所定の位置（ここでは、「ホーム画面」）に移動した場合は、Ｓ１０９（図９参照）において、報酬付与処理部１７７が、前記ユーザーに報酬を付与する。例えば、報酬付与処理部１７７は、前記ユーザーに前記ポイントを付与する。以上のようにして、前記報酬情報通知処理が実行される。
【００６１】
以上説明したように、本実施形態に係る画像形成装置１では、通知処理部１７５は、ユーザーの操作に応じて追加されたアプリのアプリアイコン１０３の位置に基づいて前記報酬情報を通知する。例えば、前記追加したアプリのアプリアイコン１０３がホーム画面（第１表示画面）とは異なる表示画面（第２表示画面）に配置された場合に、通知処理部１７５は、前記アプリアイコン１０３を前記ホーム画面に移動するように促すメッセージを前記第２表示画面に表示する。また、ユーザーが前記アプリアイコン１０３に対して前記報酬情報に従った操作を実行した場合、すなわち、ユーザーが前記アプリアイコン１０３を前記ホーム画面に移動した場合に、報酬付与処理部１７７は、前記ユーザーに報酬を付与する。前記報酬の付与は、前記ユーザーに前記アプリアイコン１０３を移動させる動機付けとなる。このため、前記追加したアプリの利用をユーザーに促すことが可能となる。そして、ユーザーに前記アプリアイコン１０３を前記ホーム画面に移動させ易くなるため、前記アプリを前記ユーザーに適切に利用させることが可能となる。
【００６２】
本発明に係る情報処理装置は、上述の構成に限定されず、以下に示す構成であってもよい。
【００６３】
［変形例１］
前記報酬情報は、図６に示す内容に限定されない。例えば、通知処理部１７５は、前記報酬情報として、「アイコンの大きさを変更しますか？「大きくする（ポイントを取得できます。）、「変更しない」」を表示画面に表示してもよい（図１１参照）。
【００６４】
この場合、前記報酬情報に従ってユーザーが前記アプリアイコン１０３の大きさを変更（大きく）した場合に（図１２参照）、報酬付与処理部１７７は、前記ユーザーに報酬を付与する。なお、前記報酬情報における「アイコンの大きさ」は、アイコンの「枠の色」、「枠の大きさ」、「背景の色」、「背景の模様」、「文字の色」、「文字の大きさ」、「文字のフォント」、「文字のスタイル」、「文字の装飾」など、アプリアイコン１０３の各種の表示態様であってもよい。
【００６５】
また、前記報酬情報は、前記アプリアイコン１０３の表示態様の変更を促すメッセージと、前記アプリアイコン１０３を前記ホーム画面に移動するように促すメッセージとを含んでもよい。この場合、前記報酬情報に従ってユーザーが前記アプリアイコン１０３を前記ホーム画面に移動し、かつ、前記アプリアイコン１０３の大きさを変更（大きく）した場合に、報酬付与処理部１７７は、前記ユーザーに報酬を付与する。
【００６６】
また、報酬付与処理部１７７は、アプリアイコン１０３の表示態様に応じて報酬を変更してもよい。例えば、報酬付与処理部１７７は、アプリアイコン１０３の大きさが大きい程、報酬（例えば、ポイント）を高くしてもよい。
【００６７】
［変形例２］
通知処理部１７５は、前記追加したアプリの種類と、当該アプリのアプリアイコン１０３が配置される位置とに基づいて報酬情報を通知してもよい。例えば、アプリを実行した場合に当該アプリ内においてユーザーの操作に応じて課金されるシステムを有するアプリ（課金アプリ）が、前記ホーム画面（第１表示画面）とは異なる表示画面（第２表示画面）に配置された場合に、通知処理部１７５が、前記報酬情報を前記第２表示画面に表示する。これにより、ユーザーに課金アプリの利用を促すことができる。
【００６８】
上記の構成では、例えば、課金システムを有しないアプリが前記第２表示画面に配置された場合は、通知処理部１７５は、前記報酬情報を前記第２表示画面に表示しなくてもよい。
【００６９】
［変形例３］
通知処理部１７５は、前記追加したアプリのアプリアイコン１０３が配置される位置に応じた内容の報酬情報を通知してもよい。例えば、アプリアイコン１０３が「２／３」ページの表示画面に配置された場合は、通知処理部１７５は、前記報酬情報（第１報酬情報）として、「ホーム画面に移動した場合、５ポイントを取得できます。アイコンを移動しますか？」を当該表示画面に表示する。また例えば、アプリアイコン１０３が「３／３」ページの表示画面に配置された場合は、通知処理部１７５は、前記報酬情報（第２報酬情報）として、「ホーム画面に移動した場合、１０ポイントを取得できます。アイコンを移動しますか？」を当該表示画面に表示する。
【００７０】
上記の構成では、報酬付与処理部１７７は、前記報酬情報に応じた報酬をユーザーに付与する。すなわち、前記第１報酬情報に従ってユーザーが前記アプリアイコン１０３を「ホーム画面」に移動した場合は、報酬付与処理部１７７は、前記ユーザーに「５ポイント」を付与する。また前記第２報酬情報に従ってユーザーが前記アプリアイコン１０３を「ホーム画面」に移動した場合は、報酬付与処理部１７７は、前記ユーザーに「１０ポイント」を付与する。
【００７１】
他の例として、例えば、ユーザーによる操作に応じて、課金アプリのアプリアイコン１０３が「ホーム画面」（第１表示画面）から他の表示画面（第２表示画面）に移動された場合に、通知処理部１７５が、前記報酬情報として、「ホーム画面に戻した場合、ポイントを取得できます。アイコンを移動しますか？」を表示してもよい。
【００７２】
［変形例４］
通知処理部１７５は、前記報酬情報を、画像形成装置１において音声により外部に報知してもよい。また、通知処理部１７５は、前記報酬情報を、画像形成装置１を利用するユーザーが所持する端末（ユーザー端末）にメールなどにより送信してもよい。
【００７３】
［変形例５］
報酬付与処理部１７７は、前記追加したアプリのアプリアイコン１０３が前記ホーム画面に配置されてから経過した時間（又は日数）に応じて、報酬を付与してもよい。例えば、前記アプリアイコン１０３が前記ホーム画面に配置されてから１０日経過した場合に、報酬付与処理部１７７は、ユーザーに「１０ポイント」を付与する。また前記アプリアイコン１０３が前記ホーム画面に配置されてから１か月経過した場合に、報酬付与処理部１７７は、ユーザーに「１００ポイント」を付与する。
【００７４】
なお、前記時間の計測は、画像形成装置１のタイマー１６において行われる。また例えば、タイマー１６は、前記時間の計測において、画像形成装置１におけるユーザーのログイン状態の時間（ログインしてからの経過時間）を計測する。
【００７５】
［変形例６］
前記アイコン位置変更処理は、上述の処理（図１０参照）（ドラッグアンドドロップ操作）に限定されない。例えば、ユーザーが、表示部に表示される設定アイコン１０５（図６参照）を選択した場合、又は、図６の表示画面において「はい」を選択した場合、表示処理部１７２が、図１３に示す設定画面を表示する。アイコン位置変更処理部１７６は、前記設定画面におけるユーザーによる操作に応じてアプリアイコン１０３の位置を変更する。例えば、図１３に示す設定画面において、ユーザーが「アプリＳ」のアプリアイコン１０３の表示画面を「１／３」に設定した場合、アイコン位置変更処理部１７６は、アプリアイコン１０３をホーム画面（「１／３」ページ）に配置（移動）する。
【００７６】
なお、前記報酬情報通知プログラムがサーバー又はクラウド上に保存され、各画像形成装置１が、通信網Ｎ１を介して前記サーバー又はクラウドに接続して前記報酬情報通知プログラムを実行する構成であってもよい。
【符号の説明】
【００７７】
１００  情報処理システム
１      画像形成装置（情報処理装置）
１０    操作表示部
１１    ＡＤＦ
１２    画像読取部
１３    画像形成部
１４    通信Ｉ／Ｆ
１５    記憶部
１６    タイマー
１７    制御部
１７１  アプリ受信処理部
１７２  表示処理部
１７３  アイコン位置取得部
１７４  アイコン位置判定部
１７５  通知処理部
１７６  アイコン位置変更処理部
１７７  報酬付与処理部
２      配信サーバー
２１    通信Ｉ／Ｆ
２２    記憶部
２３    制御部
２３１  アプリ配信部
【図１】
2019128633.tif 000003
【図２】
2019128633.tif 000004
【図３】
2019128633.tif 000005
【図４】
2019128633.tif 000006
【図５】
2019128633.tif 000007
【図６】
2019128633.tif 000008
【図７】
2019128633.tif 000009
【図８】
2019128633.tif 000010
【図９】
2019128633.tif 000011
【図１０】
2019128633.tif 000012
【図１１】
2019128633.tif 000013
【図１２】
2019128633.tif 000014
【図１３】
2019128633.tif 000015